(57)【特許請求の範囲】
【請求項１】
上端に鍔を有する筒状体の下端付近に張出し片を持つ支持部材を固定すると共に、該筒状体に可動盤を取り付け、この可動盤と前記鍔との間にバネを配置した固定手段と、該筒状体の中空部に挿入され、この中空部に用意されているストッパの位置で落下が防止されている状態に固定されるインサート金具とから成り、該インサート金具は筒状体に対して着脱自在であり、また、下端側は中空部になっており、該中空部には、天井板等の吊り下げを可能にするボルトの雄ネジに係合する雌ネジが設けられており、且つ、該インサート金具は長さを異にするものが複数用意されており、デッキプレートの上部に配置する断熱材等の厚みや、強度保持のためのコンクリート埋設深さの状況における設定等に対応させて所定の長さのインサート金具を選択して筒状体に取り付けて利用する構成であることを特徴とするデッキインサート。
【発明の詳細な説明】
【０００１】
【発明の属する技術分野】
本発明は、天井等に配置するデッキプレートに取り付け、天井材などを取り付けるためのチャンネルやアングル材等を吊り下げるのに利用されるデッキインサートに関する。
【０００２】
【従来の技術】
デッキプレートに吊り下げ具を取り付けるには、デッキプレートの断面形状を利用して吊り下げるタイプのものや、デッキプレートに開口を穿って取り付けるタイプのものが知られている。本発明は後者のタイプに属する。
【０００３】
デッキプレートに開口を穿って取り付けるタイプの最も初期のものは、デッキプレートの開口に座金を介して長いボルトをナット止めするものである。この型式のものでは、吊り下げ位置の調整が煩雑であることから、予めデッキプレートの開口にインサート金具をバネを利用した固定手段で取り付けておき、このインサート金具に対して任意の長さのボルトを取り付ける型式のものが利用されるように至った。このような型式のデッキインサートは、実開昭５８−１３０５０２号、実開平５−５４７０１号公報等に記載されている。
【０００４】
【発明が解決しようとする課題】
上記公報等に記載されているデッキインサートは、デッキプレートの上方に突出し、打設されたスラブコンクリート中に埋め込まれるインサート金具の長さが一定となっている。そこで、例えば、デッキプレートの上に断熱材等を配置し、この断熱材の上にコンクリートを打設するような構成では、断熱材の厚み分だけ長いインサート金具が用意されているデッキインサートを利用しなければならないことになる。従って、デッキインサートを製造販売する側としては、インサート金具の長さを異にするものを何種類も用意しておく必要があり、在庫管理等の面で不都合がある。
【０００５】
実公平８−１００９０号公報に記載の技術では、上記のような場合、インサート金具の長さは常に一定であるが、インサート金具をデッキプレートに固定する固定手段の長さを調整することができ、断熱材の異なる厚みに対応することができるように構成されている。即ち、デッキプレートの下側に係止される張出し片を複数段に用意しておき、一段目ないし二段目の張出し片を変形させつつ断熱材に設けた透孔に強制挿入して二段目ないし三段目の張出し片でデッキプレートの下側を支持して固定手段のバネを働かせるように工夫して、断熱材の厚みの違いに対応させる構成である。この技術によると、例えば一段目の張出し片でデッキプレートの下側の支持が行われる態様においては、二段目及び三段目の張出し片が不要であり、二段目で支持する態様においては三段目の張出し片が不要であり、省資源の面からみると好ましくない。
【０００６】
本発明は、上記に鑑み、デッキインサートを製造販売する側の立場として在庫管理に有利であり、また、省資源の面からも不都合の点がない改良されたデッキインサートを提供することを目的とする。
【０００７】
【課題を解決するための手段】
本発明に係るデッキインサートは、上端に鍔を有する筒状体の下端付近に張出し片を持つ支持部材を固定すると共に、該筒状体に可動盤を取り付け、この可動盤と前記鍔との間にバネを配置した固定手段と、該筒状体の中空部に挿入され、この中空部に用意されているストッパの位置で落下が防止されている状態に固定されるインサート金具とから成り、該インサート金具は筒状体に対して着脱自在であり、また、下端側は中空部になっており、該中空部には、天井板等の吊り下げを可能にするボルトの雄ネジに係合する雌ネジが設けられており、且つ、該インサート金具は長さを異にするものが複数用意されており、デッキプレートの上部に配置する断熱材等の厚みや、強度保持のためのコンクリート埋設深さの状況における設定等に対応させて所定の長さのインサート金具を選択して筒状体に取り付けて利用する構成であることを特徴とする。
【０００８】
【発明の実施の形態】
図１に従って本発明に係るデッキインサートの実施例を説明する。
本発明に係るデッキインサート１０は、インサート金具１１と、このインサート金具１１をデッキプレート２０に用意した開口２１に固定する固定手段１２とで構成される。固定手段１２は、インサート金具１１の下方を挿入させて保持する中空部１３を有し、上端に鍔１４を持つ筒状体１５と、この筒状体１５の外周に取り付けられ、鍔１４と可動盤１６とを離間させる方向に付勢するバネ１７、筒状体１５の下端付近に固定され、張出し片１８の先端でデッキプレート２０の下側を支持する支持部材１９、とで構成されている。
【０００９】
図示のデッキインサート１０をデッキプレート２０に取り付けるには、デッキプレート２０の山部に予め円形の開口２１を穿っておく。開口２１の直径は、支持部材１９の基端が挿入可能となるように対応させる。
【００１０】
図示の如くにデッキインサート１０をデッキプレート２０に取り付けるには、デッキプレート２０に設けた開口２１の上方側から支持部材１９の下端を挿入して下方に強く押し込める。すると、支持部材１９の張出し片１８は変形しながら開口２１を通過し、再び図示のように開状態に復帰する。この状態で挿入を停止させれば、バネ１７の付勢力で可動盤１６がデッキプレート２０を押圧する方向に作用するから、デッキプレート２０を下方から支持する支持部材１９との間でデッキプレート２０を強く挟み込むこととなり、筒状体１５は固定される。従って、この筒状体１５に保持されているインサート金具１１は、デッキプレート２０から所定の高さ位置に配置されることになる。
【００１１】
インサート金具１１の下方側は中空になっており、この中空部には雌ネジが設けられている。従って、この雌ネジにボルト３０の雄ネジを係合させることにより天井板等の吊り下げが可能となる。
【００１２】
インサート金具１１は、筒状体１５の中空部１３に対して、ストッパ１３Ａの位置まで挿入され、着脱自在に構成されており、また、このインサート金具１１は、下端からヘッドまでの長さを異にするもの複数種類が用意されている。従って、図１に示す如く、デッキプレート２０の上方に直接にコンクリートの打設を行う態様においては、比較的短いインサート金具１１を利用するが、例えば、デッキプレート２０の上に断熱材等を配置する態様では、その断熱材の厚みに対応した長さを有するインサート金具１１を利用する。また、強度保持のためのコンクリート埋設深さの状況における設定等に対応させて適宜長さのインサート金具１１を利用する。
【００１３】
【発明の効果】
本発明に係るデッキインサートによれば、長さを異にするインサート金具１１を数種類用意しておき、選択されたインサート金具１１の何れであっても共通の固定手段１２を利用してデッキプレート２０に取り付けることができるので、従来品の如く、長さを異にするインサート金具１１が固定されているデッキインサートを幾種類も用意しておく必要がないから、生産調整ないし在庫調整が非常に有利であり、無駄な在庫を抱えることが避けられ、流通コストの低減の面においても有利である。また、固定手段１２として共通の部材が利用されるので、作業の習熟度が高まり、作業能率の向上にも有益であり、また、デッキプレート２０への穿孔を行って、固定手段１２だけを取り付けておくというような独立した作業工程を採用することもできる有益さもある。
【図面の簡単な説明】
【図１】本発明の実施例を示す一部断面図
【符号の説明】
１０−デッキインサート
１１−インサート金具
１２−固定手段
１３−中空部
１３Ａ−ストッパ
１４−鍔
１５−筒状体
１６−可動盤
１７−バネ
１８−張出し片
１９−支持部材
２０−デッキプレート
２１−開口
３０−ボルト
【図１】
0003706681.tif 000002